(57)【要約】容器本体に回転可能に設けられたパフを備える化粧品容器が開示される。本発明の化粧品容器は、液状化粧品を収容し、前記化粧品を外部に排出するための排出口を有する容器本体、前記容器本体外側に回転可能に設けられた支持部材、及び前記支持部材と共に回転可能に前記支持部材の外面に外嵌されるパフを含んで構成される。本発明によれば、化粧品を塗る作業が非常に便利であり、化粧品を均一に塗ることができる化粧品容器が提供される。2011516234.tif 000003
2011516234.tif 000002
【特許請求の範囲】
【請求項１】
液状化粧品を収容し、前記化粧品を外部に排出するための排出口を有する容器本体；
前記容器本体外側の一部位に回転可能に設けられ、前記容器本体の前記排出口を通じて排出された化粧品が外部に排出できるように、その先端部が開放された支持部材；
前記支持部材と共に回転可能に前記支持部材の外面に外嵌されるパフ；及び
前記容器本体の上部に被せて前記支持部材と前記パフを覆うように構成され、その内側面に開閉突起が形成された、前記化粧品の排出を遮断するための外部キャップ
を含む、化粧品容器。
【請求項２】
前記支持部材と前記パフが一体化した形態で製作される、請求項１に記載の化粧品容器。
【請求項３】
前記パフが、前記支持部材上にナイロンまたは繊維材質を付着させることによって形成される、請求項２に記載の化粧品容器。
【請求項４】
前記支持部材が、前記パフの離脱を防止するための突部と共に形成されている、請求項１に記載の化粧品容器。
【請求項５】
前記容器本体の前記排出口を開閉する開閉手段をさらに含む、請求項１〜４のいずれか一項に記載の化粧品容器。
【請求項６】
前記開閉手段が、前記容器本体の押圧により前記容器本体内の化粧品が排出されるように、前記排出口を開放させる開閉部材を含む、請求項５に記載の化粧品容器。
【発明の詳細な説明】
【技術分野】
【０００１】
本発明は化粧品容器に関するものであり、より詳細には、液状化粧品を収容し、化粧品を皮膚に塗るためのパフを備える化粧品容器に関するものである。
【背景技術】
【０００２】
化粧品のユーザーは、手で化粧品を取って皮膚に塗布したり、容器を押圧して化粧品を皮膚に塗布した後に、パフ（ｐｕｆｆ）のような道具を利用して皮膚に伸ばして塗る。この時、パフは通常、スポンジなどのような材質で製造され、別の部材として容器の容器本体と蓋との間に設けられ、ユーザーが必要によってパフを手で把持して使用することができるように構成されている。このような形態の化粧品容器は、ユーザーが使用する度にパフを把持して使用しなければならないため、例えば、室外で化粧を直すなどの作業をしようとする場合は、ユーザーが不便さを感じるようになる。
【０００３】
一方、パフ自体が別の部材ではなく、化粧品容器自体または他の部材に固定されたパフを備える化粧品容器も存在する。ユーザーは皮膚に化粧品を塗布した後に、化粧品容器や別の部材に付着したパフを把持して皮膚に伸ばして塗る。ところが、このような形態の化粧品容器はパフを使用しても化粧品を皮膚に均一に塗ることが難しい問題点がある。
【発明の概要】
【発明が解決しようとする課題】
【０００４】
前述したような問題点を解決するためになされた本発明は、パフを別の部材として構成しないので、便利に使用することができ、またパフの使用時に化粧品を均一に塗ることができる化粧品容器を提供することにその目的がある。
【課題を解決するための手段】
【０００５】
前述のような目的を達成するための本発明は、液状化粧品を収容し、前記化粧品を外部に排出するための排出口を有する容器本体；前記容器本体外側の一部位に回転可能に設けられる支持部材；及び前記支持部材と共に回転可能に前記支持部材の外面に外嵌されるパフ；を含む化粧品容器を提供する。
【０００６】
前記支持部材は前記容器本体の前記排出口を通じて排出された化粧品が外部に排出できるように、その先端部が開放されており、前記容器本体の上部には、前記支持部材と前記パフを覆うように構成され、その内側面に開閉突起が形成された、前記化粧品の排出を遮断するための外部キャップが設けられる。
【０００７】
前記支持部材は前記パフの離脱を防止するための突部が形成されている。
【０００８】
前記支持部材と前記パフは一体化した形態で製作でき、一例として前記パフは前記支持部材上にナイロンや繊維材質を付着させることによって形成できる。
【０００９】
前記容器本体の前記排出口には、前記容器本体の押圧により前記容器本体内の化粧品が排出されるように、前記排出口を開放させる開閉部材が設けられる。
【発明の効果】
【００１０】
以上のような本発明によれば、化粧品を塗る作業などが非常に便利であり、化粧品を均一に塗ることができる化粧品容器が提供される。
【図面の簡単な説明】
【００１１】
【図１】本発明に係る化粧品容器の縦断面図である。
【図２】図１の化粧品容器の部分断面図である。
【図３】図１の排出部材の縦断面図である。
【図４】図１の支持部材の縦断面図である。
【図５】図１の支持部材の側面図である。
【図６】図１のパフの縦断面図である。
【図７】図１のキャップの縦断面図である。
【図８】本発明の他の実施形態に係る化粧品容器の縦断面図である。
【図９】図８の上部側の拡大図である。
【発明を実施するための形態】
【００１２】
発明を実施するための最良の形態
以下、添付図面を参照して本発明についてより詳細に説明する。
【００１３】
図１は本発明に係る化粧品容器の縦断面図であり、図２ないし図７は図１に示した各部品を別途に示す縦断面図である。
【００１４】
図１に示すように、本発明に係る化粧品容器１００は、容器本体１０、ノズルキャップ２０、支持部材３０、パフ４０、及び外部キャップ５０を含んで構成される。
【００１５】
図１及び２に示すように、容器本体１０の内部には化粧品の内容物を収容する収容空間１５が形成される。容器本体１０の上面にはノズルキャップ２０と結合するようにノズルキャップ２０の下部形状に対応する段差部１１が形成されており、段差部１１の上段部には化粧品が外側に排出されるようにする排出部１３が形成されている。容器本体１０は軟性材質で製造することが好ましい。これによって、ユーザーが容器本体１０を指などで押して押圧すると、収容空間１５に受容された化粧品が排出部１３を通じて上方に排出される。
【００１６】
図１及び図３に示すように、ノズルキャップ２０はその下部が容器本体１０の上部に結合するように、容器本体１０の上部形状に対応するスリーブ２１と結合部２３を備えている。このスリーブ２１と結合部２３が容器本体１０の上部の段差部１１及び排出部１３の外面に外嵌することによって、ノズルキャップ２０が容器本体１０の上部に固定される。ノズルキャップ２０の上部は上方に長く延びたノズル部２８を備え、このノズル部２８には排出流路２７が形成されている。容器本体１０の排出部１３を通じて排出された化粧品は、このノズル部２８の排出流路２７を通じて上方に排出される。一方、ノズルキャップ２０の中間部分には帯状の突出リブ２６が形成されている。
【００１７】
図１、図４及び図５に示すように、支持部材３０はパイプ状の断面を有する部材であり、支持部材３０はノズルキャップ２０のノズル部２８と接するようにノズルキャップ２０に外嵌する。この時、支持部材３０の内面の内径はノズルキャップ２０のノズル部２８の外径より少し大きく形成する。これによって、支持部材３０はノズル部２８と圧入結合せず、支持部材３０がノズル部２８に外嵌した状態で支持部材３０がノズル部２８を中心に自由に回転可能になる。また、化粧品が支持部材３０の先端部を通じて流出できるように、この支持部材３０の先端部は開放されている。
【００１８】
支持部材３０の内面３７の下部には環状の溝３６が形成されている。この溝３６は支持部材３０がノズル部２８と結合した状態でノズル部２８の突出リブ２６と係合する。これによって、支持部材３０は前述したように、ノズル部２８を中心に回転可能になり、且つ支持部材３０がノズル部２８から上方に離脱することを防止する。
【００１９】
一方、支持部材３０の外面には複数の突部３３が形成されている。図５に示すように、この突部３３は環状に形成することもでき、突起状に形成することができる。この突部３３は支持部材３０とパフ４０を堅固に結合させるように機能する。
【００２０】
図１及び図６に示すように、パフ４０は支持部材３０の外面に外嵌するように、パイプ状に形成される。パフ４０の上段部には小直径の排出孔４６が形成されている。ノズルキャップ２０のノズル部２８を通じて排出される化粧品はパフ４０の上側排出孔４６を通じて外部に排出される。パフ４０は、その内面が支持部材３０の外面に外嵌するように、支持部材３０と結合する。この時、支持部材３０の突部３３によって押圧されながら係止することで、パフ４０は支持部材３０と堅固にその結合状態を維持する。したがって、支持部材３０はパフ４０と共に回転するようになる。また、突部３３により、パフ４０は支持部材３０から上方に離脱しない。
【００２１】
このように、パフ４０は容器本体１０の上部に回転可能に設けられる。この状態で、パフ４０の回転は支持部材３０とノズルキャップ２０との間の回転可能な結合により保証される。
【００２２】
このようなパフ４０は、スポンジ、ＮＢＲまたはＳＢＲなどのような材質で製造できる。例えば、パフは支持部材３０に外嵌した形態ではない、例えば支持部材３０の外面に接着剤を塗布した状態でナイロンや繊維材質を付着させることによって、支持部材３０の外面に付着する形態で製造することができる。また、このような方式でパフ４０を製作する場合に、支持部材３０とパフ４０は実質的に一体化した形態で製作する。そして、実際にも支持部材３０は材質の選択によってパフ４０と一体化した形態で製作することができる。この場合に、実質的に支持部材３０とパフ４０のうちいずれか一つを省略したものと類似した構成になるが、それが容器本体１０に回転可能に装着される機能をそのまま維持する。本願明細書の特許請求の範囲において、「一体化した形態」とは、このような全ての例を含む概念として使用する。
【００２３】
図１及び図７に示すように、外部キャップ５０は容器本体１０の上部に被せる蓋を構成する。外部キャップ５０の内側面の上部には開閉突起５５が形成されている。図１に示すように、開閉突起５５は容器本体１０に装着された状態でノズル部２８の排出流路２７の上段部を閉鎖する。したがって、外部キャップ５０が容器本体１０に結合した状態においては、ユーザーが容器本体１０を押圧しても容器本体１０内の収容空間１５に受容された化粧品が外部に排出されない。
【００２４】
このような化粧品容器１００は次の通り使用される。
【００２５】
まず、ユーザーは化粧品容器１００を把持して外部キャップ５０を分離する。次に、容器本体１０を指などで押圧すると、容器本体１０内の化粧品が排出口１３と排出流路２７及び排出孔４６を経て外部に排出される。外部に排出される化粧品をユーザーの皮膚に塗布する。
【００２６】
次に、ユーザーはパフ４０を皮膚に当てて化粧品を皮膚に伸ばして塗る。この時、パフ４０の側面を皮膚に接触した状態でパフ４０を使用すると、パフ４０が皮膚上で回転しながら化粧品を塗布する。したがって、あたかもペイントを塗る道具においてローラーを利用して壁面に対して接触した状態でローラーが回転してペイントを塗るように、化粧品をパフ４０が回転しながら皮膚に塗布する。したがって、化粧品が皮膚に均一に分布し、ユーザーの皮膚とパフ４０との摩擦が少ないので、皮膚の損傷などを防止できる。
【００２７】
また、外部キャップ５０のみを分離した状態で化粧品容器１００自体を手に持って、化粧品を皮膚に塗布する動作と皮膚に伸ばして塗る動作を行うことができるので、使用が非常に簡便で、且つ化粧品が手に付かない。したがって、外部で化粧を直すなどの作業をする時、使用が非常に便利である。
【００２８】
また、例えば、パフ４０が長期間の使用により摩耗したり使用上の不注意により破損するなどの状況が発生すると、支持部材３０自体を分離して支持部材３０とパフ４０が結合した新しい部品に交替したりまたは支持部材３０上のパフ４０自体だけを新しいものに交替することによって、容易に再使用が可能である。
【００２９】
使用の完了後に、ユーザーはまた外部キャップ５０を容器本体１０に結合させる。これによって、容器本体１０を押圧しても化粧品が外部に排出されない状態になって、意図しない化粧品の排出が防止される。
【００３０】
図８は本発明の他の実施形態に係る化粧品容器の縦断面図であり、図９は図８の上部側の拡大図である。本実施形態において、それぞれの部品に対する形状などは前述した実施形態に比べて少し相異なるが、大部分の構成が前述した実施形態と同様である。したがって、図１ないし図７を参照に前述した実施形態と実質的に同一な部分については同一な参照符号を付ける。
【００３１】
本実施形態においては、容器本体１０の排出口１４に開閉部材７０が設けられている。この点が前述した実施形態と相異なり、その他の部分は実質的に同様である。
【００３２】
容器本体１０の押圧により容器本体１０内の化粧品が排出される場合に、排出口１４は開閉部材７０によって開放される。したがって、容器本体１０が押圧されない状態では排出口１４が開放されないので、通常の状態で化粧品が自らこぼれることが防止される。このような開閉部材７０の構造は通常的な一方向弁の部材の構造を採用してもいい。
【００３３】
一方、本明細書内で本発明をいくつかの好ましい実施形態によって記述したが、当業者ならば、添付の特許請求の範囲に開示した本発明の範疇及び思想から外れずに、多くの変形及び修正がなされ得ることがわかるはずである。
【図１】
2011516234.tif 000004
【図２】
2011516234.tif 000005
【図３】
2011516234.tif 000006
【図４】
2011516234.tif 000007
【図５】
2011516234.tif 000008
【図６】
2011516234.tif 000009
【図７】
2011516234.tif 000010
【図８】
2011516234.tif 000011
【図９】
2011516234.tif 000012
【国際調査報告】
2011516234.tif 000013
2011516234.tif 000014